(57)【要約】【課題】豪雪地帯において、積雪の圧力により柵を構成する網や支柱が損傷することを防止する。【解決手段】網部の上部に高剛性の網を、下部に伸縮または屈曲可能な網を設ける。また、支柱に巻きつくように設置されるコイルばねと網の両端を係止する。これらの構成により、積雪による圧力に応じて下側網部が伸縮し、上側網部に歪みや曲りといった損傷を生じることが無く、また、雪解け後は、コイルばね部の復元力により元の状態に復帰可能である。また、このような柔軟な構造であるにもかかわらず、支柱間距離を長くしても、柵としての剛性や強度を保つことが可能であり、したがって、長い距離に渡る柵の施工においても、支柱数を少なくすることにより、施工期間の短縮が可能である。【選択図】図１
2014093951.tif 000002
【特許請求の範囲】
【請求項１】
２本の支柱と網部を備えた耐雪型獣害防止柵であって、
上記それぞれの支柱はらせん状に巻かれたコイルばねを有し、
上記網部の上部は、剛性が高い金属製網からなり、その下部は、伸縮または屈曲可能な材質の網からなり、
当該網部の左右端は、上記２本の支柱に巻かれたコイルばねに係止されている
ことを特徴とする耐雪型獣害防止柵。
【請求項２】
上記支柱は、屈曲可能な材質からなる
ことを特徴とする請求項１に記載の耐雪型獣害防止柵。
【請求項３】
上記網部の上部は、縦横の金属線が交点において接合されている
ことを特徴とする請求項１または２に記載の耐雪型獣害防止柵。
【請求項４】
上記網部の上部は、縦の金属線が山折れ構造を有している
ことを特徴とする請求項１から３のいずれかに記載の耐雪型獣害防止柵。
【発明の詳細な説明】
【技術分野】
【０００１】
本発明は、獣害防止柵、特に豪雪地帯に適した耐雪型獣害防止柵に関するものである。
【背景技術】
【０００２】
猪や鹿等の動物による農作物への被害は深刻であり、これを防止するために獣害防止柵が設けられている。農作物への被害防止だけではなく、道路や鉄道の線路にこれらの動物が飛び出してくるのを防ぐ目的にも獣害防止柵が用いられている。
【０００３】
獣害防止柵は、雪深い北国や山間部といった豪雪地帯においても広く用いられているが、積雪による圧力により、柵や金網が歪んだり曲がったりする等の問題が生じていた。
具体的に述べると、豪雪により、獣害防止柵の途中まで、あるいは全体を埋めるまで雪が積もることがある。その後の雪解け時においては、日照により表面から雪が解け始めるとともに、地熱により地面付近の雪も解け始める。後者の雪解けは、獣害防止柵の金網に大きな圧力をもたらし、金網を歪ませたり曲げたりするといった金網の破損を生じさせる。
【０００４】
この問題を解決するための獣害防止柵が提案されている。提案されている獣害防止柵は、複数の支柱と、支柱の上端に係止する上段係止金具と、支柱の下部を挟持して係止する下段係止金具と、上段係止金具と下段係止金具とに上端と下端とを係止させることにより支柱間に張設する樹脂製の網とを備えたものである。そして、上段係止金具は、支柱の筒内に挿入する挿入部と、支柱の上端に上段係止金具を係止する金具係止部と、網の上端辺に配設される上端ロープを係止させる上端ロープ係止部とを備えている。
【０００５】
下段係止金具は、支柱を挟持する挟持部と、網の下端に配設される下端ロープを係止させる下端ロープ係止部とを備えている。冬季間には、網の下端の下端ロープも上段係止金具３に係止して、網を上下中間で折り畳んだ状態に維持し、積雪による網の損傷を防止する（例えば、特許文献１。特に図８。）。
【先行技術文献】
【特許文献】
【０００６】
【特許文献１】特開２０１１−２３９７１２号公報
【発明の概要】
【発明が解決しようとする課題】
【０００７】
上述の獣害防止柵においては、積雪前に網を折りたたむ必要があり、また、雪解け後に、折りたたんだ網を元に戻すといった面倒な作業が必要になる。また、折りたたんだ後に、予想されたほどの積雪が無ければ、網の下部より動物が侵入してしまい、そもそも防止柵の目的を達成することができない。
【０００８】
さらに、柵の上部まで積雪が生じた場合には、例え網を折りたたんだとしても、雪解け時の積雪の圧力により、網に損傷が生じてしまう。
以上のことから、網を折りたたんだとしても、十分な積雪が無ければ、網の下部より動物が侵入するという問題が生じ、一方、積雪が柵の上部まで達するような場合には、その圧力により網が損傷するといった別の問題が生じる。
【０００９】
また、獣害防止柵が道路脇に設けられている場合、道路の除雪作業により、獣害防止柵の一方側にだけ積雪が残るケースも起こりうる。この場合には、積雪が残っている側から道路側への圧力が獣害防止柵に生じ、柵の支柱がが大きく曲がってしまうといった問題もあった。
【００１０】
本発明は、上記の問題を解決するためになされたものであり、積雪の圧力に抗することなく、むしろその圧力に応じた変形を行うことによって、支柱や網の損傷が無く、雪解け後は元の状態に復帰する耐雪型獣害防止柵を提供するものである。
【課題を解決するための手段】
【００１１】
本発明は、２本の支柱と網部を備えた耐雪型獣害防止柵であって、
上記それぞれの支柱はらせん状に巻かれたコイルばねを有し、
上記網部の上部は、剛性が高い金属製網からなり、その下部は、伸縮または屈曲可能な材質の網からなり、
当該網部の左右端は、上記２本の支柱に巻かれたコイルばねに係止されている
ことを特徴とする。
【発明の効果】
【００１２】
本発明に係る耐雪型獣害防止柵は前記のごとく構成されているので、積雪による圧力に応じて網部が伸縮し、網部に歪や曲りといった損傷を生じることが無く、また、雪解け後は元の状態に復帰可能である。また、このような柔軟な構造であるにもかかわらず、支柱間距離を長くしても、柵としての剛性や強度を保つことが可能であり、したがって、長い距離に渡る柵の施工においても、支柱数を少なくすることにより、施工期間の短縮が可能である。
【図面の簡単な説明】
【００１３】
【図１】本発明に係る耐雪型獣害防止柵の斜視図である。
【図２】本発明に係る耐雪型獣害防止柵の（ａ）試作品全体、（ｂ）その上側網部、および（ｃ）その下側網部を表す図である。
【図３】本発明に係る耐雪型獣害防止柵の側面図である。
【図４】本発明に係る耐雪型獣害防止柵の支柱と網の結束を表す図である。
【図５】本発明に係る耐雪型獣害防止柵に用いる結束具を表す図である。
【図６】本発明に係る耐雪型獣害防止柵の側面図であり、（ａ）は通常の状態を、（ｂ）は積雪による圧力を受けた状態を表す図である。
【発明を実施するための形態】
【００１４】
実施の形態．
以下に、本発明の実施の形態に係る耐雪型獣害防止柵について、図を用いて説明する。尚、以下の実施の形態は、本発明の一例であって、特に本発明をこの一例に限定するものではない。例えば、本発明品およびその構成部品に関して材質や寸法等を開示するが、これらは本発明の良好な一例を示すにすぎない。
【００１５】
まず、図１を用いて、本発明の実施の形態に係る耐雪型獣害防止柵の主な構成について説明する。
図１は、耐雪型獣害防止柵の斜視図である。
耐雪型獣害防止柵は基本構造として、２本の支柱１と網部を備えており、網部は上側網部２、および下側網部３からなる。
【００１６】
支柱１は、例えば、長さが２ｍ４０ｃｍ、外径が３２ｍｍ程度のグラスファイバーポールである。グラスファイバーポールを用いた理由は、屈曲性を有するためである。このように、支柱１の材質としては、外力に応じて屈曲すると同時に、外力が取り去られた際には、元の真っ直ぐな形状に復元する材料が望ましい。
また、この支柱１は中空構造になっている。軽量化による作業性、運搬性の向上、および屈曲性の向上が目的である。
支柱１の下部は、図３に示すように地中に埋設されている。
【００１７】
上側網部２は、剛性の高い金属網が望ましく、本実施の形態においては４ｍｍ径の鋼線を用いた。縦横の鋼線の交点は、溶接により接合している。
また、図１に示すように、縦の鋼線に山折り加工を施したベンダーリブ２ａを設け、横方向の折れ曲りに対する剛性を向上させている。この構造により、通常の構造に比較して２５％程度も支柱間距離を長くすることが可能となり、本実施の形態においては、支柱間距離を２．５ｍとしている。
【００１８】
下側網部２は、伸縮あるいは屈曲可能な構造を有し、今回は亀甲金網を用いた。例えば、グラスダイヤモンドや樹脂ネットも用いることができる。基本的には、外力に対して伸縮あるいは屈曲可能な材質、あるいは構造を有していれば良い。
【００１９】
下側網部２は、地面（図１にＧＬで示す点線）についた状態から、獣侵入方向に対して地面に沿って３０ｃｍ程度伸びた穴掘り防止部３ａを有している。穴掘り防止部３ａは、図示しないアンカーによって地面に固定されている。このような構造を設けることで、例えば、猪が柵の下を通るために、柵の下に穴を掘ろうとしても、穴掘り防止部３ａである網が邪魔になって掘り進むことができないようにしている。
【００２０】
本実施の形態に係る耐雪型獣害防止柵の試作品を図２に示す。
図２（ａ）が全体図、（ｂ）が上側網部２、そして（ｃ）が下側網部３である。全体図（ａ）に示すように、上側網部２の下端に下側網部の上端が係止されている。また、上側網部２と下側網部３のそれぞれの高さは、１ｍ２０ｃｍと８０ｃｍである。したがって、柵全体の高さは２ｍである。
【００２１】
上側網部２と下側網部３のそれぞれの高さは、設置する環境等に応じて変えても良い。例えば、積雪が顕著な豪雪地帯では、下側網部３を高くし、一方、豪雪地帯に比べて積雪が少ない地域では、下側網部３を低くしても良い。
【００２２】
次に、図３を用いて、上側および下側網部２および３の支柱への係止構造について説明する。
図３は、図１のＡ方向から見た耐雪型獣害防止柵の側面図である。
【００２３】
支柱１には、らせん状に線状の弾性部材が巻かれ、コイルばね部１ａを形成している。
このコイルばね部１ａの最上部には、上側網部２の最上部と針金等により結束された上部結束部４が形成されている。上側網部２の左右両端最上部ともに、同様に、左右の支柱１のこのコイルばね部１ａに結束されている。
【００２４】
また、最上部を除く上側網部２、および下側網部３の左右両端は、いくつかの箇所で、例えば数１０ｃｍおきに、左右の支柱１のこのコイルばね部１ａに結束されている。この結束には、取付けを容易にするために、環状の結束具５を用いた。
【００２５】
この結束の様子を図４に示す。図４は、上側網部２と、支柱１およびコイルばね部１ａの結束の様子を示している。このように結束されているので、上側網部２が下降する際には、コイルばね部１ａが縮むことになる。なお、図４においては、コイルばね部１ａの強度を上げるために２重らせん構造にしているが、より剛性の高い部材を用いて１重のらせん構造としても良い。
結束具５は、図５に示すように、圧着部５ａを有しており、圧着用工具を用いて、簡単に結束を行うことができる。
【００２６】
なお、本実施の形態においては、結束具５を用いて上側網部２や下側網部３を結束する際に、支柱１とコイルばね部１ａとに結束具５を巻く構造にしているが、コイルばね部１ａだけに結束具５を巻き、支柱１は巻かないようにしても良い。ただし、コイルばね部１ａだけに結束具５を巻くと、上側網部２や下側網部３と支柱１が直接結束していないので、上側網部２や下側網部３が支柱１から少し離れた位置で係止されるので、２本の支柱１を結ぶ線上に上側網部２や下側網部３を位置させるためには、支柱１とコイルばね部１ａの両方に結束具５を巻く構造にした方が良い。
【００２７】
次に、本実施の形態に係る耐雪型獣害防止柵の動作について、図６を用いて説明する。
図６（ａ）は通常の状態、すなわち積雪が無い状態での耐雪型獣害防止柵の側面図であり、（ｂ）は積雪による圧力が加わった状態での耐雪型獣害防止柵の側面図である。
【００２８】
積雪による圧力が加わった状態では、圧力により、上側網部２が下降し、下側網部３が撓んだ（縮んだ）状態になっている。このように、下側網部３が伸縮あるいは屈曲可能な性質を持つことで、上側網部２に掛かる圧力を吸収し、上側網部の歪みや曲り等の損傷を防止することができる。
そして、雪解け後には圧力が解放されるので、コイルばね部１ａの復元力により、上側網部２は持ち上げられて、（ａ）に示す元の状態に損傷なく復元することができる。
【００２９】
また、支柱１が屈曲可能であるので、除雪等により耐雪型獣害防止柵の片側だけに積雪が残った際にも、積雪が残った側から除雪側への圧力に応じて、支柱１が屈曲することで、耐雪型獣害防止柵全体や支柱の曲げ等の損傷を回避することができる。雪解け後は、やはり、支柱１自身の復元力により、元の状態に復帰できる。
【００３０】
さらに、雪が下側網部２の上部以上まで積もった際には、猪等の獣が上側網部に衝突することがあるが、その際にも支柱１に屈曲性があるため、衝撃をある程度吸収することで、上側網部２の損傷を抑止することができる。
【００３１】
本発明に係る耐雪型獣害防止柵は上記のように構成されているので、積雪による圧力に応じて下側網部３が伸縮あるいは屈曲し、上側網部２に歪みや曲りといった損傷を生じることが無く、また、雪解け後は、コイルばね部１ａの復元力により元の状態に復帰可能である。
【００３２】
また、このような柔軟な構造であるにもかかわらず、上側網部２の剛性の高さにより、支柱間距離を長くしても、柵としての剛性や強度を保つことが可能であり、したがって、長い距離に渡る柵の施工においても、支柱数を少なくすることにより、施工期間の短縮が可能である。特に、ベンダーリブ２ａを設けることで、より支柱間距離を長くすることができる。
【００３３】
網部の下側に伸縮あるいは屈曲可能な下側網部３を設けていることで、上述した柔軟な構造が得られるだけではなく、穴掘り防止部３ａの構成も容易に達成できる。剛性の高い金網では、折り曲げ等の作業が必要であるが、伸縮あるいは屈曲可能な下側網部３ではより簡単に施工が行える。
【００３４】
また、支柱１に屈曲性を持たせたことで、下方向の圧力に対してだけではなく、柵の前後方向の圧力に対しても柔軟な構造となっている。それにより、片側を除雪した際に生じる雪圧や、積雪上を突進して上側網部２にぶつかる猪等の衝撃を吸収することで、支柱１や上側網部２に対する損傷を抑止することができる。
【符号の説明】
【００３５】
１  支柱
１ｂ  コイルばね部
２  上側網部
２ａ  ベンダーリブ
３  下側網部
３ａ  穴掘り防止部
４  上部係止部
５  結束具
【図１】
2014093951.tif 000003
【図２】
2014093951.tif 000004
【図３】
2014093951.tif 000005
【図４】
2014093951.tif 000006
【図５】
2014093951.tif 000007
【図６】
2014093951.tif 000008